(57)【特許請求の範囲】
【請求項１】
灯具が水平回転できるように支持部材に支持されるとともに、所定角度以上の灯具水平回転を阻止する相互に当接可能な一対のストッパを前記灯具と支持部材にそれぞれ設けた照射方向可変型照明器具において、前記支持部材側のストッパが、灯具水平回転と同方向の一定範囲を可動するように前記支持部材に取付けられる取付部と、前記灯具側のストッパに当接可能な突出部と、前記灯具の外周面を押える弾性部とを備えた照射方向可変型照明器具。
【発明の詳細な説明】
【０００１】
【発明の属する技術分野】
この発明は、照射方向可変型照明器具に関するものである。
【０００２】
【従来の技術】
図１２は従来の照射方向可変型照明器具に断面側面図、図１３はその要部拡大図である。図１２に示すように、灯具５０は水平回転可能で、かつ軸心が傾斜できるように支持部材５１に支持される。図１３に示すように、灯具５０に可動ストッパ５２を設け、これに当接する固定ストッパ５３を支持部材５１に設けることで、灯具５０が１回転以上して電線５５が切断されることを防止している。また、支持部材５１に灯具５０の外周面を押える灯具押えばね５４を取付け、その摩擦力により振動による灯具水平回転を抑制している。
【０００３】
【発明が解決しようとする課題】
しかしながら、上記従来の照射方向可変型照明器具においては、固定ストッパ５３の取付位置に可動ストッパ５２を移動させることができないので、灯具５０の回転角度が３６０°以下になり照射範囲に死角があるという問題があった。
【０００４】
また、可動ストッパ５２、灯具押えばね５４が別々に設けてあるので部品点数が多くなり組み立て難く、容易に製作することができない。また、灯具５０の可動のためにクリアランスがあり、振動によりがたつき音がする。さらに、灯具押えばね５４の取付けスペースと取付けビスが必要になる。
【０００５】
したがって、この発明の目的は、灯具水平回転範囲が大きく、部品点数が少なく組み立て作業性が向上できる等の効果がある照射方向可変型照明器具を提供することである。
【０００６】
【課題を解決するための手段】
上記課題を解決するためにこの発明の請求項１記載の照射方向可変型照明器具は、灯具が水平回転できるように支持部材に支持されるとともに、所定角度以上の灯具水平回転を阻止する相互に当接可能な一対のストッパを前記灯具と支持部材にそれぞれ設けた照射方向可変型照明器具において、前記支持部材側のストッパが、灯具水平回転と同方向の一定範囲を可動するように前記支持部材に取付けられる取付部と、前記灯具側のストッパに当接可能な突出部と、前記灯具の外周面を押える弾性部とを備えた。
【０００７】
このように、支持部材側のストッパの取付部が、灯具水平回転と同方向の一定範囲を可動するように支持部材に取付けられるので、灯具水平回転範囲が大きくなる。すなわち３６０°以上の灯具水平回転が可能となり照射範囲に死角がなくなる。また、灯具側のストッパに当接可能な突出部と、灯具の外周面を押える弾性部とが同一のストッパに備えてあるので、部品点数が１点で水平回転ストッパと、振動による水平回転の抑制と、がたつき防止の機能を果たすことができる。このため、組み立て作業性向上によりコストダウンを図ることができ、振動によるがたつき音がなくなる。また、従来のように灯具押えばねを別に設ける必要がないので、ばね取付スペース減少により器具の小型化が可能となる。
【０００８】
【発明の実施の形態】
この発明の第１の実施の形態の照射方向可変型照明器具を図１ないし図５に基づいて説明する。図１はこの発明の第１の実施の形態の照射方向可変型照明器具の断面側面図、図２はその要部拡大図、図３（ａ）は第１の実施の形態の可動式のストッパの側面図、（ｂ）は正面図、（ｃ）は平面図、図４（ａ）は第１の実施の形態の支持部材側のストッパの状態を示す正面図、（ｂ）はその平面図、図５（ａ）は第１の実施の形態の支持部材側のストッパの別の状態を示す正面図、（ｂ）はその平面図である。
【０００９】
図１に示すように、天井１に設けた開口部２に照射方向可変型照明器具３が埋め込まれている。この照射方向可変型照明器具３は、灯具４と支持部材５を備えている。支持部材５は、開口部２に挿入され脚部６ａにより天井１に支持されるフレーム６と、フレーム６内に配置されてばね７ａにより取付けられる枠体７とを備えている。灯具４は水平回転可能で、かつ軸心が傾斜できるように支持部材５に支持される。この場合、図２に示すように、灯具４の下端が枠体７により回転自在に支持されるととともに、外周面にストッパ８がねじ止めにより突設されている。すなわち、灯具４に貫通したボルトをワッシャを介してナットにねじ止めすることにより外周面に突出したボルト頭部がストッパ８となる。また、このストッパ８の軸周りに灯具４の内側部４ａが回動して傾斜する。
【００１０】
また、支持部材５側の灯具水平回転機構部に可動式のステンレス製ストッパ１０を備え、これに前記ストッパ８が当接することで所定角度以上の灯具水平回転を阻止する。
【００１１】
ストッパ１０は、図３に示すように、取付部１１と、灯具４側のストッパ８に当接可能な突出部１２と、灯具４の外周面を押える弾性部１３とを備えている。この場合、ストッパ１０の板状部１０ａの一方の側面に突出部１２が突設され、板状部１０ａの下部の中央の１箇所を他方の側面側に垂下片が位置するようにＬ形に折曲することで取付部１１が形成してある。また、板状部１０ａの上部の中央に上方に延びた弾性部１３が一方の側面側に折曲した状態で形成され、その両側にガイド片１１ａ，１１ａが他方の側面側に突設してある。また、図４および図５に示すように、枠体７の分離可能な上枠部７ｂに灯具水平回転と同方向に延びるスリット１４が設けてある。このスリット１４に取付部１１が移動自在に挿入されるとともにガイド片１１ａを上枠部７ｂの上縁部に当接させることにより、ストッパ１０が灯具水平回転と同方向の一定範囲を可動する。
【００１２】
上記構成の照明器具の作用について説明する。灯具４を回転させてそのストッパ８が可動式のストッパ１０の突出部１２に当接すると（図４）、ストッパ８とともに可動式のストッパ１０が可動する（図５）。このとき、取付部１１がスリット１４の長さの範囲でスライドすることで、灯具４を３６０°以上回転させることが可能となる。また、ガイド片１１によりストッパ１０の姿勢が保持されるので円滑にスライドする。
【００１３】
以上のようにこの実施の形態によれば、可動式のストッパ１０の取付部１１が、灯具水平回転と同方向の一定範囲を可動するように支持部材５に取付けられるので、灯具水平回転範囲が大きくなる。すなわち３６０°以上の灯具水平回転が可能となり照射範囲に死角がなくなる。また、灯具４側のストッパ８に当接可能な突出部１２と、灯具４の外周面を押える弾性部１３とが同一のストッパ１０に備えてあるので、部品点数が１点で水平回転ストッパと、振動による水平回転の抑制と、がたつき防止の機能を果たすことができる。このため、組み立て作業性向上によりコストダウンを図ることができ、振動によるがたつき音がなくなる。また、従来のように灯具押えばねを別に設ける必要がないので、ばね取付スペース減少により器具の小型化が可能となる。
【００１４】
この発明の第２の実施の形態の照射方向可変型照明器具を図６ないし図８に基づいて説明する。図６（ａ）はこの発明の第２の実施の形態の可動式のストッパの側面図、（ｂ）は正面図、（ｃ）は平面図、図７（ａ）は第２の実施の形態の可動式のストッパの状態を示す正面図、（ｂ）はその平面図、図８（ａ）は第２の実施の形態の可動式のストッパの別の状態を示す正面図、（ｂ）はその平面図である。
【００１５】
図６に示すように、この実施の形態におけるストッパ２０は、取付部２１、突出部２２および弾性部２３が板状部２０ａに形成してあるが、取付部２１の形状が異なる。すなわち、板状部２０ａの下部の両側の２箇所を同様にＬ形に折曲することで一対の取付部２１，２１が形成してある。また、ガイド片は形成していない。
【００１６】
上記構成の照明器具の作用について説明する。図７および図８に示すように灯具４を回転させてそのストッパ８が可動式のストッパ２０の突出部２２に当接すると、ストッパ８とともに可動式のストッパ２０が可動する。このとき、取付部２１がスリット１４の長さの範囲でスライドすることで、灯具４を３６０°以上回転させることが可能となる。また、取付部２１を２箇所に設けたことにより、スライド時にストッパ２０の姿勢を維持できる。
【００１７】
以上のようにこの実施の形態によれば、ストッパ１０に取付部２１を２箇所備えることにより、灯具水平回転方向に可動するためのガイド片も兼ねる。その他の構成効果は、第１の実施の形態と同様である。
【００１８】
この発明の第３の実施の形態の照射方向可変型照明器具を図９ないし図１１に基づいて説明する。図９（ａ）はこの発明の第３の実施の形態の可動式のストッパの側面図、（ｂ）は正面図、（ｃ）は平面図、図１０（ａ）は第３の実施の形態の可動式のストッパの状態を示す正面図、（ｂ）はその平面図、図１１（ａ）は第３の実施の形態の可動式のストッパの別の状態を示す正面図、（ｂ）はその平面図である。
【００１９】
図９に示すように、この実施の形態におけるストッパ２５は、取付部２６、突出部２７および弾性部２８が板状部２５ａに形成してあるが、取付部２６の形状が異なる。すなわち、板状部１０ａの下部を中央周辺部を同様にＬ形に折曲することで広幅の取付部２６が形成してある。また、ガイド片は形成していない。
【００２０】
上記構成の照明器具の作用について説明する。図１０および図１１に示すように灯具４を回転させてそのストッパ８が可動式のストッパ２５の突出部２７に当接すると、ストッパ８とともに可動式のストッパ２５が可動する。このとき、取付部２６がスリット１４の長さの範囲でスライドすることで、灯具４を３６０°以上回転させることが可能となる。また、取付部２６の幅を広くすることにより、スライド時にストッパ２５の姿勢を維持できる。
【００２１】
以上のようにこの実施の形態によれば、ストッパ２５に取付部２６の幅を広くすることにより、灯具水平回転方向に可動するためのガイド片も兼ねる。その他の構成効果は、第１の実施の形態と同様である。
【００２２】
【発明の効果】
この発明の照明器具によれば、支持部材側のストッパの取付部が、灯具水平回転と同方向の一定範囲を可動するように支持部材に取付けられるので、灯具水平回転範囲が大きくなる。すなわち３６０°以上の灯具水平回転が可能となり照射範囲に死角がなくなる。また、灯具側のストッパに当接可能な突出部と、灯具の外周面を押える弾性部とが同一のストッパに備えてあるので、部品点数が１点で水平回転ストッパと、振動による水平回転の抑制と、がたつき防止の機能を果たすことができる。このため、組み立て作業性向上によりコストダウンを図ることができ、振動によるがたつき音がなくなる。また、従来のように灯具押えばねを別に設ける必要がないので、ばね取付スペース減少により器具の小型化が可能となる。
【図面の簡単な説明】
【図１】この発明の第１の実施の形態の照射方向可変型照明器具の断面側面図である。
【図２】図１の要部拡大図である。
【図３】（ａ）は第１の実施の形態の可動式のストッパの側面図、（ｂ）は正面図、（ｃ）は平面図である。
【図４】（ａ）は第１の実施の形態の可動式のストッパの状態を示す正面図、（ｂ）はその平面図である。
【図５】（ａ）は第１の実施の形態の可動式のストッパの別の状態を示す正面図、（ｂ）はその平面図である。
【図６】（ａ）はこの発明の第２の実施の形態の可動式のストッパの側面図、（ｂ）は正面図、（ｃ）は平面図である。
【図７】（ａ）は第２の実施の形態の可動式のストッパの状態を示す正面図、（ｂ）はその平面図である。
【図８】（ａ）は第２の実施の形態の可動式のストッパの別の状態を示す正面図、（ｂ）はその平面図である。
【図９】（ａ）はこの発明の第３の実施の形態の可動式のストッパの側面図、（ｂ）は正面図、（ｃ）は平面図である。
【図１０】（ａ）は第３の実施の形態の可動式のストッパの状態を示す正面図、（ｂ）はその平面図である。
【図１１】（ａ）は第３の実施の形態の可動式のストッパの別の状態を示す正面図、（ｂ）はその平面図である。
【図１２】従来の照射方向可変型照明器具に断面側面図である。
【図１３】図１２の要部拡大図である。
【符号の説明】
１  天井
２  開口部
３  照射方向可変型照明器具
４  灯具
５  支持部材
８  ストッパ
１０，２０，２５  可動式ストッパ
１１，２１，２６  取付部
１２，２２，２７  突出部
１３，２３，２８  弾性部
１４  スリット
【図１】
0003823611.tif 000002
【図２】
0003823611.tif 000003
【図３】
0003823611.tif 000004
【図４】
0003823611.tif 000005
【図５】
0003823611.tif 000006
【図６】
0003823611.tif 000007
【図７】
0003823611.tif 000008
【図８】
0003823611.tif 000009
【図９】
0003823611.tif 000010
【図１０】
0003823611.tif 000011
【図１１】
0003823611.tif 000012
【図１２】
0003823611.tif 000013
【図１３】
0003823611.tif 000014